【事件の表示】
　商願２００９−　５８６６６拒絶査定不服審判事件について、次のとおり審決する。
【結　論】
　本件審判の請求は、成り立たない。
【理　由】
第１　本願商標
　本願商標は、別掲のとおり、「可夢偉」の文字を筆書き風に横書きしてなり、第２１類に属する願書記載のとおりの商品を指定商品とし、平成２１年８月３日に登録出願、その後、指定商品については、当審における同２２年９月１５日受付けの手続補正書により、第２１類「食器類，化粧用具（「電気式歯ブラシ」を除く。），ガラス製包装用容器（「ガラス製栓・ガラス製ふた」を除く。），食品保存用ガラス瓶，魔法瓶，ナプキンホルダー，ナプキンリング，清掃用具及び洗濯用具，浴室用腰掛け，浴室用手おけ，トイレットペーパーホルダー，紙タオル取り出し用金属製箱，せっけん用ディスペンサー」と補正されたものである。
　
第２　原査定の拒絶の理由の要点
　原査定において、以下のとおり認定、判断し、本願を拒絶したものである。
１　商標登録を受けることができる商標は、現在使用をしているもの又は近い将来使用をするものと解されるところ、本願は、第２１類において広範な範囲にわたる商品を指定しているため、本願商標をそれらの指定商品の全てについて使用しているか又は近い将来使用をすることについて疑義があるものである。
　したがって、本願商標は、商標法第３条第１項柱書きの要件を具備しない。
　
２　本願商標は、以下に引用した登録商標と、同一又は類似の商標であって、同一又は類似の商品について使用するものであるから、商標法第４条第１項第１１号に該当する。
（１）登録第９０９１３１号商標（以下「引用商標１」という。）は、「ＫＡＭＵＩ」の欧文字を横書きしてなり、昭和４４年６月１２日に登録出願、第９類に属する商標登録原簿に記載のとおりの商品を指定商品として、同４６年７月１５日に設定登録され、その後、３回にわたり商標権の存続期間の更新登録がなされ、さらに、指定商品については、平成１４年７月２４日に第６類、第７類、第８類、第９類、第１１類、第１２類、第１５類、第１６類、第１７類、第１９類、第２０類、第２１類及び第２６類に属する商標登録原簿に記載のとおりの商品を指定商品とする書換登録がなされ、現に有効に存続しているものである。
（２）登録第２２３８１９０号商標（以下「引用商標２」という。）は、「ＣＡＭＵＩ」の欧文字を横書きしてなり、昭和６３年４月１６日に登録出願、第２１類に属する商標登録原簿に記載のとおりの商品を指定商品として、平成２年６月２８日に設定登録され、その後、２回にわたり商標権の存続期間の更新登録がなされ、さらに、指定商品については、同２２年５月１９日に第１４類、「携帯用化粧道具入れ」を含む第１８類及び第２５類に属する商標登録原簿に記載のとおりの商品を指定商品とする書換登録がなされ、現に有効に存続しているものである。
（３）登録第２５６１２４７号商標（以下「引用商標３」という。）は、「ＣＡＭＵＩ」「ＷＡＴＥＲ　ＭＡＳＳＡＧＥ」の欧文字を二段に横書きしてなり、平成３年２月１２日に登録出願、第２２類に属する商標登録原簿に記載のとおりの商品を指定商品として、同５年７月３０日に設定登録され、その後、同１５年５月２０日に商標権の存続期間の更新登録がなされ、さらに、指定商品については、同１６年９月８日に第１８類及び第２５類に属する商標登録原簿に記載のとおりの商品を指定商品とする書換登録がされ、現に有効に存続しているものである。
（４）登録第２６４４２９０号商標（以下「引用商標４」という。）は、「ＫＡＭＵＩ」の欧文字を横書きしてなり、平成３年１１月３０日に登録出願、第２０類に属する商標登録原簿に記載のとおりの商品を指定商品として、同６年４月２８日に設定登録され、その後、同１６年１月１３日に商標権の存続期間の更新登録がなされ、さらに、指定商品については、同１７年５月１１日に第１９類及び第２０類に属する商標登録原簿に記載のとおりの商品を指定商品とする書換登録がされ、現に有効に存続しているものである。
（５）登録第４０１２２０８号商標（以下「引用商標５」という。）は、「ＣＡＭＵＩ」の欧文字を横書きしてなり、平成７年１１月１４日に登録出願、第２５類に属する商標登録原簿に記載のとおりの商品を指定商品として、同９年６月１３日に設定登録されたものである。その後、同１９年５月２９日に商標権の存続期間の更新登録がなされ、さらに、商標権一部取消し審判により、その指定商品中、第２５類「運動用特殊衣服，運動用特殊靴（乗馬靴を除く。）」について商標登録を取り消すべき旨の審決がされ、同２０年５月２２日にその確定審決の登録がされ、現に有効に存続しているものである。
（６）登録第４０７７５３２号商標（以下「引用商標６」という。）は、「ＣＡＭＵＩ」の欧文字を横書きしてなり、平成７年１１月１４日に登録出願、第９類に属する商標登録原簿に記載のとおりの商品を指定商品として、同９年１０月３１日に設定登録されたものである。その後、商標権一部取消し審判により、その指定商品中、「ウエイトベルト，ウエットスーツ，浮き袋，エアタンク，水泳用浮き板，レギュレーター」について商標登録を取り消すべき旨の審決がされ、同１９年１０月１８日にその確定審決の登録がされ、さらに、同年１１月６日に商標権の存続期間の更新登録がなされ、現に有効に存続しているものである。
（７）登録第４０８００５７号商標（以下「引用商標７」という。）は、「ＣＡＭＵＩ」の欧文字を横書きしてなり、平成７年１１月１４日に登録出願、「つけづめ，つけまつ毛」を含む第３類に属する商標登録原簿に記載のとおりの商品を指定商品として、同９年１１月７日に設定登録され、さらに、同１９年８月１４日に商標権の存続期間の更新登録がなされ、現に有効に存続しているものである。
（８）登録第４１１８７２８号商標（以下「引用商標８」という。）は、「ＣＡＭＵＩ」の欧文字を横書きしてなり、平成７年１１月１４日に登録出願、「食器類（貴金属製のものを除く。），アイスペール，泡立て器，こし器，こしょう入れ・砂糖入れ及び塩振り出し容器（貴金属製のものを除く。），卵立て（貴金属製のものを除く。），ナプキンホルダー及びナプキンリング（貴金属製のものを除く。），盆（貴金属製のものを除く。），ようじ入れ（貴金属製のものを除く。），ざる，シェーカー，しゃもじ，手動式のコーヒー豆ひき器及びこしょうひき，じょうご，すりこぎ，すりばち，ぜん，栓抜き，大根卸し，タルト取り分け用へら，なべ敷き，はし，はし箱，ひしゃく，ふるい，まな板，麺棒，焼き網，ようじ，レモン絞り器，ワッフル焼き型（電気式のものを除く。），清掃用具及び洗濯用具，携帯用アイスボックス，米びつ，食品保存用ガラス瓶，水筒，魔法瓶，化粧用具（『電気式歯ブラシ』を除く。），ガラス製包装用容器（『ガラス製栓・ガラス製ふた』を除く。），紙タオル取り出し用金属製箱，靴脱ぎ器，せっけん用ディスペンサー，寝室用簡易便器，トイレットペーパーホルダー，湯かき棒，浴室用腰掛け，浴室用手おけ」を含む第２１類に属する商標登録原簿に記載のとおりの商品を指定商品として、同１０年２月２７日に設定登録されたものである。その後、商標権一部取消し審判により、その指定商品中、「コッフェル」について商標登録を取り消すべき旨の審決がされ、同１９年１０月２５日にその確定審決の登録がされ、さらに、同年１１月２７日に商標権の存続期間の更新登録がなされ、現に有効に存続しているものである。
（９）登録第４１４７８７３号商標（以下「引用商標９」という。）は、「ＣＡＭＵＩ」の欧文字を横書きしてなり、平成７年１１月１４日に登録出願、「貴金属製コンパクト」を含む第１４類に属する商標登録原簿に記載のとおりの商品を指定商品として、同１０年５月２２日に設定登録され、その後、同２０年３月４日に商標権の存続期間の更新登録がなされ、現に有効に存続しているものである。
（１０）登録第４１４７８７４号商標（以下「引用商標１０」という。）は、「ＣＡＭＵＩ」の欧文字を横書きしてなり、平成７年１１月１４日に登録出願、「携帯用化粧道具入れ」を含む第１８類に属する商標登録原簿に記載のとおりの商品を指定商品として、同１０年５月２２日に設定登録され、その後、同２０年３月４日に商標権の存続期間の更新登録がなされ、現に有効に存続しているものである。
（１１）登録第４２２９４２５号商標（以下「引用商標１１」という。）は、「Ｃａｍｕｉ」「ｗａｔｅｒ」「ｍａｓｓａｇｅ」の欧文字を三段に横書きしてなり、平成９年１０月２２日に登録出願、第２５類に属する商標登録原簿に記載のとおりの商品を指定商品として、同１１年１月１４日に設定登録されたものである。その後、商標権一部取消し審判により、その指定商品中、「運動用特殊衣服，運動用特殊靴」について商標登録を取り消すべき旨の審決がされ、同２０年５月２２日にその確定審決の登録がされ、さらに、同年１２月１６日に商標権の存続期間の更新登録がなされ、現に有効に存続しているものである。
（１２）登録第４２５４９２８号商標（以下「引用商標１２」という。）は、「ＣＡＭＵＩ」の欧文字を横書きしてなり、平成７年１１月１４日に登録出願、「家庭用食品包装フィルム，紙製ごみ収集用袋，プラスチック製ごみ収集用袋第」を含む第１６類に属する商標登録原簿に記載のとおりの商品を指定商品として、同１１年３月２６日に設定登録され、その後、同２０年１２月２日に商標権の存続期間の更新登録がなされ、現に有効に存続しているものである。
（１３）登録第５０８６９４７号商標（以下「引用商標１３」という。）は、「カムイ」の片仮名を横書きしてなり、平成１９年３月３１日に登録出願、第５類、第２９類及び第３０類に属する商標登録原簿に記載のとおりの商品を指定商品として、同１９年１０月２６日に設定登録され、現に有効に存続しているものである。
（１４）登録第５１２９８６６号商標（以下「引用商標１４」という。）は、「Ｃａｍｕｉ」の欧文字を横書きしてなり、平成１９年４月３日に登録出願、「身の回り品の小売又は卸売の業務において行われる顧客に対する便益の提供」を含む第３５類に属する商標登録原簿に記載のとおりの役務を指定役務として、同２０年４月１８日に設定登録され、現に有効に存続しているものである。
（１５）登録第５１２９８６７号商標（以下「引用商標１５」という。）は、「Ｃａｍｕｉ」「ｗａｔｅｒ」「ｍａｓｓａｇｅ」の欧文字を三段に横書きしてなり、平成１９年４月３日に登録出願、「身の回り品の小売又は卸売の業務において行われる顧客に対する便益の提供」を含む第３５類に属する商標登録原簿に記載のとおりの役務を指定役務として、同２０年４月１８日に設定登録され、現に有効に存続しているものである。
（１６）登録第５１４２６８５号商標（以下「引用商標１６」という。）は、「ＫＡＭＵＩ」の欧文字を標準文字で表してなり、平成１９年４月２３日に登録出願、第２８類に属する商標登録原簿に記載のとおりの商品を指定商品として、同２０年６月２０日に設定登録され、現に有効に存続しているものである。
（１７）登録第５１８６８５６号商標（以下「引用商標１７」という。）は、「カムイ」の片仮名を横書きしてなり、平成１９年６月１８日に登録出願、第３５類に属する商標登録原簿に記載のとおりの役務を指定役務として、同２０年１２月５日に設定登録され、現に有効に存続しているものである。
　
第３　当審の判断
１　本願商標と引用商標との類否について
（１）本願商標の指定商品が、上記第１のとおり補正された結果、引用商標１、３ないし６、１１、１３、１６及び１７の指定商品及び指定役務とは類似しないものとなった。
　したがって、本願商標は、引用商標１、３ないし６、１１、１３、１６及び１７とは抵触しないものとなったため、当該引用商標についての拒絶の理由は解消した。
（２）本願商標は、前記１のとおり、「可夢偉」の文字からなるところ、該文字は、特定の意味合いを有しない造語といえるものである。そして、インターネット情報によれば、該文字がＦ１レースドライバー「小林可夢偉」の略称として使用されているものであるとしても、その周知性を考慮してみれば、これに接する取引者、需要者をして、直ちに同氏を意味する文字として理解されるとはいえないことから、これは特定の意味合いを有しないものと認められるものである。
　してみれば、一般的に特定の意味又は特定の読みを有しない漢字からなる造語にあっては、これに接する取引者、需要者は、それぞれの文字を一律に音読みして称呼するのが自然であることから、本願商標は、その構成文字に相応して「カムイ」の称呼を生じるものである。
　一方、引用商標２、７ないし１０及び１２は、「ＣＡＭＵＩ」の欧文字を横書きしてなり、引用商標１４は「Ｃａｍｕｉ」の欧文字を横書きしてなるところ、両文字は、大文字と小文字の違いがあっても、その綴り字は同じであって、ともに成語とは認められないものであり、特定の意味合いを有しない一種の造語と認められるものであるから、特定の観念は生じないものである。そして、このような造語は、ローマ字読み又は英語読みにならって称呼されるとみるのが相当であるところ、語頭の「ＣＡ」及び「Ｃａ」の文字についてのローマ字読みの発音が存しないことからすれば、我が国でも親しまれた英語の読みにならい、該文字部分を「カ」と発音し、全体として「カムイ」の称呼を生じるものとみるのが相当である。
　そこで、本願商標と引用商標２、７ないし１０、１２及び１４を比較すると、両者は、外観については、前記の構成よりみて相違するものであり、また、観念については、共に造語であり、特定の観念を生じないものであるから、比較することができない。
　しかしながら、称呼については、両者は「カムイ」の称呼を共通するものである。
　してみれば、両商標は、たとえ外観において相違し、観念については比較することができないものであることを考慮したとしても、これらが称呼の同一性を凌駕するものということはできず、かつ、両商標に係る取引の実情等において、商品の出所の混同を生ずるおそれはないとみるべき特段の事情が存するものとも認められないことから、互いに称呼上同一又は類似する商標というべきであり、かつ、本願商標の指定商品は、引用各商標の指定商品及び指定役務と同一又は類似する商品である。
　したがって、本願商標は、商標法第４条第１項第１１号に該当する。
　
２　請求人の主張について
　請求人は、引用各商標における本願の指定商品と同一又は類似の指定商品及び指定役務については、継続して三年以上日本国内において商標権者等によって使用されていない事実が判明した旨を主張し、引用各商標に対して、不使用による商標登録の取消しの審判を請求する予定であること、そして、その結果、引用各商標の登録が取り消された場合は、本件の拒絶理由が解消する旨を主張しているが、既に審判請求から相当の期間が経過する現在に至るも、引用各商標についての不使用による商標登録の取消しの審判の請求はなされておらず、また、その点についての事情の釈明も認められないことからすれば、当該主張は、にわかに採用することができない。
　
３　まとめ
　以上によれば、本願商標が商標法第３条第１項柱書きの要件を具備しているか否かについて論ずるまでもなく、本願商標が同法第４条第１項第１１号に該当するものであるとして本願を拒絶した原査定は、妥当なものであるから、これを取り消すべき限りでない。
　よって、結論のとおり審決する。